(57)【要約】【課題】狭いスペースでも配線可能なパイプケーブルを提供する。【解決手段】パイプケーブル１１は、平型パイプ１５と、光ファイバ増設用パイプ１６と、複数の電気通信ケーブル１７とを備えて構成されている。複数の電気通信ケーブル１７は、同軸ケーブル１７ａ、ＬＡＮ用ケーブル１７ｂ、電話ケーブル１７ｃで構成されている。パイプケーブル１１は、平型パイプ１５の内側に形成される収納空間１８に、光ファイバ増設用パイプ１６、同軸ケーブル１７ａ、ＬＡＮ用ケーブル１７ｂ、及び電話ケーブル１７ｃを横に並べた状態で収納することによりなっている。平型パイプ１５は、平型コルゲートチューブであって、スリット１９と凹条部２０とを有している。【選択図】図１
2008009043.tif 000002
【特許請求の範囲】
【請求項１】
長手方向にスリットを有する断面長円形の平型パイプと、光ファイバ増設時に使用する光ファイバ増設用パイプと、一又は複数の電気通信ケーブルとを備え、前記平型パイプの内側の空間に該平型パイプの長径方向に並んだ状態で、前記光ファイバ増設用パイプと前記電気通信ケーブルとを収納してなる
ことを特徴とするパイプケーブル。
【請求項２】
請求項１に記載のパイプケーブルにおいて、
前記平型パイプに、前記スリットの反対側となる位置で該スリットに対し平行な凹条部を形成する
ことを特徴とするパイプケーブル。
【請求項３】
請求項１又は請求項２に記載のパイプケーブルにおいて、
前記平型パイプを平型コルゲートチューブとする
ことを特徴とするパイプケーブル。
【発明の詳細な説明】
【技術分野】
【０００１】
本発明は、住宅内に配線されるパイプケーブルに関し、詳しくは、光ファイバケーブルによる光化に適したパイプケーブルに関する。
【背景技術】
【０００２】
最近の電気通信技術の進歩は、住宅内に電源線を敷設する他に、各種電気通信用のケーブルを敷設するまでに至っている。電気通信用のケーブルとしては、電話ケーブル、同軸ケーブル、ＬＡＮ用ケーブルがある。これらの電気通信用のケーブルは、外的衝撃に弱く破損し易いという理由から、断面円形に形成されたパイプ状の合成樹脂管（ＣＤ管）に収納されて配線されるようになっている。合成樹脂管には、光ファイバを増設する際に必要となる光ファイバ増設用パイプも収納されている。合成樹脂管とこれに収納された電気通信用のケーブルは、パイプケーブルを構成している（例えば特許文献１参照）。
【特許文献１】実用新案登録第３１０１２６９号公報
【発明の開示】
【発明が解決しようとする課題】
【０００３】
図４において、従来のパイプケーブル１にあっては、複数の電気通信用のケーブル２（電話ケーブル２ａ、同軸ケーブル２ｂ、ＬＡＮ用ケーブル２ｃ）や光ファイバ増設用パイプ３を合成樹脂管４に収納して複合化するために、直径が大きなものとなっている。従って、例えば天井と壁との間に形成されるケーブル配線スペースが高さ方向に低くなる空間であった場合には、電気通信用のケーブル２や光ファイバ増設用パイプ３を横に個別に並べて配線することができたとしても、複合化してなる従来のパイプケーブル１は配線することができないという問題点を有している。
【０００４】
また、前記のスペースの場合、従来のパイプケーブル１をばらして電気通信用のケーブル２や光ファイバ増設用パイプ３を個別に並べて配線すると、これらを外的衝撃等から保護することができないという問題点や、作業が繁雑になるという問題点を有している。
【０００５】
尚、住宅構造を変更することは多大なる費用が発生してしまうことから、パイプケーブル１側で対策をする必要があるのは言うまでもない。
【０００６】
本発明は、上述した事情に鑑みてなされたもので、狭いスペースでも配線可能なパイプケーブルを提供することを課題とする。
【課題を解決するための手段】
【０００７】
上記課題を解決するためになされた請求項１記載の本発明のパイプケーブルは、長手方向にスリットを有する断面長円形の平型パイプと、光ファイバ増設時に使用する光ファイバ増設用パイプと、一又は複数の電気通信ケーブルとを備え、前記平型パイプの内側の空間に該平型パイプの長径方向に並んだ状態で、前記光ファイバ増設用パイプと前記電気通信ケーブルとを収納してなることを特徴としている。
【０００８】
このような特徴を有する本発明によれば、長径と短径とを有する断面長円形のパイプケーブルになる。本発明のパイプケーブルは、この短径側がケーブル配線スペースの狭い方の側に合わせて収納される。本発明において、平型パイプのスリットは、長径方向の端部、短径方向の端部のいずれであっても良いものとする。
【０００９】
請求項２記載の本発明のパイプケーブルは、請求項１に記載のパイプケーブルにおいて、前記平型パイプに、前記スリットの反対側となる位置で該スリットに対し平行な凹条部を形成することを特徴としている。
【００１０】
このような特徴を有する本発明によれば、平型パイプの内部に光ファイバ増設用パイプと一又は複数の電気通信ケーブルとを収納する際、凹条部の部分で曲がり易くなり、比較的小さな力で平型パイプのスリットが開く。
【００１１】
請求項３記載の本発明のパイプケーブルは、請求項１又は請求項２に記載のパイプケーブルにおいて、前記平型パイプを平型コルゲートチューブとすることを特徴としている。
【００１２】
このような特徴を有する本発明によれば、平型コルゲートチューブの内部に光ファイバ増設用パイプと一又は複数の電気通信ケーブルとが収納されてパイプケーブルが構成される。
【発明の効果】
【００１３】
請求項１に記載された本発明によれば、パイプケーブルを狭いスペースに配線することができるという効果を奏する。また、例えば住宅側で構造変更等をしなくても配線をすることができるという効果を奏する。
【００１４】
請求項２に記載された本発明によれば、光ファイバ増設用パイプや電気通信ケーブルの収納に係る作業性を向上させることができるという効果を奏する。
【００１５】
請求項３に記載された本発明によれば、可撓性を高めたパイプケーブルを提供することができるという効果を奏する。
【発明を実施するための最良の形態】
【００１６】
以下、図面を参照しながら説明する。図１は本発明のパイプケーブルの一実施の形態を示す図であり、（ａ）はパイプケーブルの配線状態を示す説明図、（ｂ）はパイプケーブルの構成を示す拡大断面図である。また、図２は本発明のパイプケーブルの組み付け状態を示す断面図である。
【００１７】
図１において、本発明のパイプケーブル１１は、従来例の丸型のパイプケーブル１（図３参照）と異なり、平型の形状になっている。すなわち、本発明のパイプケーブル１１は、平型パイプケーブルとなっている。引用符号１２は天井１３と壁１４との間に形成されるケーブル配線スペースを示している。ケーブル配線スペース１２は、上下方向の間隔が狭く、左右方向の幅間隔が広くなるような、ケーブル配線用の空間として形成されている。このようなケーブル配線スペース１２に対して本発明のパイプケーブル１１は、形状が平型であることから、干渉することなく収納・配線されるようになっている。
【００１８】
パイプケーブル１１は、平型パイプ１５と、光ファイバ増設用パイプ１６と、複数の電気通信ケーブル１７とを備えて構成されている。本形態において、複数の電気通信ケーブル１７は、同軸ケーブル１７ａ、ＬＡＮ用ケーブル１７ｂ、電話ケーブル１７ｃで構成されているが、この数及び組み合わせは任意であるものとする。パイプケーブル１１は、平型パイプ１５の内側に形成される収納空間１８に、光ファイバ増設用パイプ１６、同軸ケーブル１７ａ、ＬＡＮ用ケーブル１７ｂ、及び電話ケーブル１７ｃを横に並べた状態で収納することによりなっている。
【００１９】
平型パイプ１５は、断面長円形となる略筒状の形状に形成されている。このような平型パイプ１５には、長手方向にスリット１９が形成されている。ここで引用符号１５ａを断面直線状の上壁、引用符号１５ｂを断面直線状で上壁１５ａに平行な下壁、引用符号１５ｃを上壁１５ａ及び下壁１５ｂの各左端に連続する断面円弧状の左湾曲壁、引用符号１５ｄを上壁１５ａ及び下壁１５ｂの各右端に連続する断面円弧状の右湾曲壁と定義すると、本形態において、スリット１９は右湾曲壁１５ｄの略中央位置に真っ直ぐに形成されている。スリット１９は、光ファイバ増設用パイプ１６や複数の電気通信ケーブル１７を収納又は取り出す際の部分として形成されている。
【００２０】
平型パイプ１５は、スリット１９の間隔を広げることにより、光ファイバ増設用パイプ１６や複数の電気通信ケーブル１７の収納又は取り出しを行えるようになっている。平型パイプ１５は、スリット１９の間隔を広げ易くするために、言い換えれば小さな力でスリット１９の間隔を広げることができるようにするために、スリット１９の反対側となる左湾曲壁１５ｃに凹条部２０を有している。凹条部２０は、スリット１９に対して平行に形成されている。凹条部２０は、ヒンジのような機能を有している。本形態において、凹条部２０は、左湾曲壁１５ｃの外側で断面Ｖ溝となる形状に形成されている（形状は一例であるものとする）。
【００２１】
凹条部２０は、スリット１９の間隔を広げた後にこのスリット１９が元の状態に戻る際に有用な部分となっている。すなわち、開いた口が閉じないのでは収納した電気通信ケーブル１７が脱落しやすくなってしまう。本発明では、凹条部２０がこのような開いた口が閉じないという現象を抑えるために有用な部分となっている。尚、スリット１９と凹条部２０の配置を逆にしても当然によいものとする。また、図３に示すような短径方向（上下方向）に配置してもよいものとする。スリット１９と凹条部２０は、対向する位置に配置形成されている。
【００２２】
平型パイプ１５の材質としては、ポリオレフィン、ポリエチレン、ポリ塩化ビニル、ポリプロピレン等が一例として挙げられるものとする。本形態では、スリット１９を開き易くするために、軟らかな材質としてポリプロピレンが用いられている。本形態の平型パイプ１５は、十分な可撓性を持たせるために、平型コルゲートチューブとなるように形成されている。
【００２３】
平型パイプ１５は、この内側における短径が光ファイバ増設用パイプ１６の外径に合わせて形成されている。また、平型パイプ１５の左湾曲壁１５ｃや左湾曲壁１５ｃも光ファイバ増設用パイプ１６の曲率に合わせて形成されている（一例であるものとする。図１では、光ファイバ増設用パイプ１６の外径が他の電気通信ケーブル１７の径よりも大きく示されているが、逆に他の電気通信ケーブル１７の径の方が大きくなることもあり得ることから、平型パイプ１５は最大径のものに合わせて形成されるものとする）。
【００２４】
光ファイバ増設用パイプ１６は、光ファイバの増設時に使用するためのものであって、断面円形に形成されている。光ファイバ増設用パイプ１６には、特に図示しないが、光ファイバが挿通されるようになっている（平型パイプ１５のようなスリットは存在しない）。光ファイバ増設用パイプ１６の材質としては、硬質ポリエチレンなどの摩擦が小さい樹脂材料が適しているものとする（一例であるものとする。光ファイバの通線性向上のために、滑りやすい材質が好ましいものとする）。光ファイバ増設用パイプ１６は、ここでは既知のものが用いられている。
【００２５】
複数の電気通信ケーブル１７となる同軸ケーブル１７ａ、ＬＡＮ用ケーブル１７ｂ、及び電話ケーブル１７ｃは、光ファイバ増設用パイプ１６と同様、ここでは既知のものが用いられている。
【００２６】
上記構成において、図２に示すようにスリット１９の間隔を広げて平型パイプ１５の内側の収納空間１８に光ファイバ増設用パイプ１６、同軸ケーブル１７ａ、ＬＡＮ用ケーブル１７ｂ、及び電話ケーブル１７ｃを横に（長径方向に）並べた状態で収納し、その後、スリット１９により開いた口を閉じると、本発明のパイプケーブル１１の組み付けが完了する。本発明のパイプケーブル１１は、形状が平型であることから、干渉することなくケーブル配線スペース１２に収納され、そして配線される。
【００２７】
以上、本発明によれば、パイプケーブル１１を従来よりも狭いスペースに配線することができる。また、例えば住宅側で構造変更等をしなくてもパイプケーブル１１を配線をすることができる。
【００２８】
その他、本発明は本発明の主旨を変えない範囲で種々変更実施可能なことは勿論である。
【図面の簡単な説明】
【００２９】
【図１】本発明のパイプケーブルの一実施の形態を示す図であり、（ａ）はパイプケーブルの配線状態を示す説明図、（ｂ）はパイプケーブルの構成を示す拡大断面図である。
【図２】本発明のパイプケーブルの組み付け状態を示す断面図である。
【図３】本発明のパイプケーブルを構成する平型パイプの他の例を示す断面図である。
【図４】従来例のパイプケーブルの断面図である。
【符号の説明】
【００３０】
１１  パイプケーブル
１２  ケーブル配線スペース
１３  天井
１４  壁
１５  平型パイプ
１５ａ  上壁
１５ｂ  下壁
１５ｃ  左湾曲壁
１５ｄ  右湾曲壁
１６  光ファイバ増設用パイプ
１７  電気通信ケーブル
１７ａ  同軸ケーブル
１７ｂ  ＬＡＮ用ケーブル
１７ｃ  電話ケーブル
１８  収納空間（内側の空間）
１９  スリット
２０  凹条部
【図１】
2008009043.tif 000003
【図２】
2008009043.tif 000004
【図３】
2008009043.tif 000005
【図４】
2008009043.tif 000006